(57)【要約】  通信端末装置２０は、ユーザの音声指示を受け付けると（Ｓ１）、測位処理を行ってユーザの位置を示す位置データを生成し（Ｓ２）、音声指示を示す音声データ、及び位置データを、サーバ装置１０へ送信する（Ｓ３）。サーバ装置１０は、取得したデータに基づいて、通信端末装置２０を所持するユーザが置かれている状況を判別し、所定の通知条件を満たすコンテンツを通信端末装置２０のユーザに通知する（Ｓ４〜Ｓ７）。サーバ装置１０は、ユーザが非日常圏に居ると判別した場合には、当該ユーザが日常圏に居る場合よりも通知条件を緩和させる。サーバ装置１０は、飲食店の情報を含むコンテンツに飲食に要する所要時間が関連づけられている場合、通知条件を緩和させるときは当該所要時間の上限を長くする。
2016182008.tif 000002
【特許請求の範囲】
【請求項１】
ユーザが置かれている状況を判別する判別部と、
所定の条件を満たすコンテンツを前記ユーザに通知する通知制御部であって、前記ユーザが特定の状況に置かれていると判別された場合と、当該ユーザが別の状況に置かれている場合とで前記条件を異ならせる通知制御部と
を備える通知制御システム。
【請求項２】
前記通知制御部は、
前記特定の状況に置かれていると判別された場合には、前記別の状況に置かれている場合よりも、前記条件を緩和又は制限させる
ことを特徴とする請求項１に記載の通知制御システム。
【請求項３】
前記判別部は、
前記ユーザの位置と日時との少なくとも一方に基づいて、前記状況を判別する
ことを特徴とする請求項１又は請求項２に記載の通知制御システム。
【請求項４】
前記判別部は、
前記ユーザの位置が日常圏又は非日常圏のどちらに属するかを判別する
ことを特徴とする請求項３に記載の通知制御システム。
【請求項５】
前記条件は、コンテンツに関連付けられたパラメータの条件を含み、
前記通知制御部は、
前記特定の状況に置かれていると判別された場合と、前記別の状況に置かれている場合とで、前記パラメータの条件を異ならせる
ことを特徴とする請求項１から請求項４のいずれか１項に記載の通知制御システム。
【請求項６】
前記パラメータは、時間、金額、位置、カロリー、評価、及びジャンルの少なくともいずれかを含む
ことを特徴とする請求項５に記載の通知制御システム。
【請求項７】
前記条件がコンテンツの種別に応じて異なる
ことを特徴とする請求項１から請求項６のいずれか１項に記載の通知制御システム。
【請求項８】
前記通知制御部は、
特定の種別のコンテンツについては、前記特定の状況に置かれていると判別された場合と、前記別の状況に置かれている場合とで前記条件を同じとする
ことを特徴とする請求項７に記載の通知制御システム。
【請求項９】
通信端末装置のユーザが置かれている状況を判別する判別部と、
所定の条件を満たすコンテンツを前記通信端末装置のユーザに通知する通知制御部であって、前記ユーザが特定の状況に置かれていると判別された場合と、当該ユーザが別の状況に置かれている場合とで前記条件を異ならせる通知制御部と
を備えるサーバ装置。
【請求項１０】
自通信端末装置のユーザが置かれている状況を示すデータをサーバ装置へ送信する送信部と、
送信された前記データに応じて前記サーバ装置により送信された、所定の条件を満たすコンテンツを通知する通知データを取得する取得部であって、前記条件が、前記ユーザが特定の状況に置かれていると判別された場合と、当該ユーザが別の状況に置かれている場合とで異なる取得部と、
取得された前記通知データに基づいて、前記コンテンツを前記ユーザに通知する通知部と
を備える通信端末装置。
【請求項１１】
通信端末装置のコンピュータに、
当該通信端末装置のユーザが置かれている状況を示すデータをサーバ装置へ送信するステップと、
送信した前記データに応じて前記サーバ装置により送信された、所定の条件を満たすコンテンツを通知する通知データを取得するステップであって、前記条件が、前記ユーザが特定の状況に置かれていると判別された場合と、当該ユーザが別の状況に置かれている場合とで異なるステップと、
取得した前記通知データに基づいて、前記コンテンツを前記ユーザに通知するステップと
を実行させるためのプログラム。
【請求項１２】
ユーザが置かれている状況を判別するステップと、
所定の条件を満たすコンテンツを前記ユーザに通知するステップであって、前記ユーザが特定の状況に置かれていると判別した場合と、当該ユーザが別の状況に置かれている場合とで前記条件を異ならせるステップと
を備える通知制御方法。
【発明の詳細な説明】
【技術分野】
【０００１】
本発明は、コンテンツをユーザに通知する技術に関する。
【背景技術】
【０００２】
通信端末装置のユーザが音声により指示（以下「音声指示」という。）を行うと、通信端末装置が当該音声指示に従ってユーザにコンテンツを通知する、音声エージェントシステムがある。非特許文献１には、音声エージェントシステムの動作例として、ユーザがスマートフォンに「この辺のタクシーを探して」と話しかけると、スマートフォンがユーザの今居る場所でタクシーを呼べるタクシー会社の情報を表示することが記載されている。
【先行技術文献】
【非特許文献】
【０００３】
【非特許文献１】タクシー会社検索機能提携先のご案内、［online］、［平成２７年４月６日検索］、インターネット〈URL：http://www.taxisite.com/pr/cal/〉
【発明の概要】
【発明が解決しようとする課題】
【０００４】
一般的な音声エージェントシステムでは、音声指示を行ったユーザが誰であっても、当該音声指示を行ったときのユーザの状況（例えば、ユーザの居る場所や日時）が同じであれば、同じコンテンツが通知される。しかし、これでは、複数のユーザの各ユーザにとって有益なコンテンツが通知されるとは限らない。例えば、或る場所で飲食店の情報を検索するための音声指示を行ったユーザにとって、その場所が自宅付近の場合は、気軽に飲食できる飲食店の情報を得たいと考え、その場所が旅行先の場合は、普段は利用しないような豪華な飲食のできる飲食店の情報を得たい、と考えることがある。
そこで、本発明の目的は、ユーザが置かれている状況に応じて通知するコンテンツの条件を異ならせることである。
【課題を解決するための手段】
【０００５】
上述した課題を解決するため、本発明の通知制御システムは、ユーザが置かれている状況を判別する判別部と、所定の条件を満たすコンテンツを前記ユーザに通知する通知制御部であって、前記ユーザが特定の状況に置かれていると判別された場合と、当該ユーザが別の状況に置かれている場合とで前記条件を異ならせる通知制御部とを備える。【０００６】
本発明の通知制御システムにおいて、前記通知制御部は、前記特定の状況に置かれていると判別された場合には、前記別の状況に置かれている場合よりも、前記条件を緩和又は制限させてもよい。【０００７】
本発明の通知制御システムにおいて、前記判別部は、前記ユーザの位置と日時との少なくとも一方に基づいて、前記状況を判別してもよい。
この通知制御システムにおいて、前記判別部は、前記ユーザの位置が日常圏又は非日常圏のどちらに属するかを判別してもよい。【０００８】
本発明の通知制御システムにおいて、前記条件は、コンテンツに関連付けられたパラメータの条件を含み、前記通知制御部は、前記特定の状況に置かれていると判別された場合と、前記別の状況に置かれている場合とで、前記パラメータの条件を異ならせてもよい。
この通知制御システムにおいて、前記パラメータは、時間、金額、位置、カロリー、評価、及びジャンルの少なくともいずれかを含んでもよい。
この通知制御システムにおいて、前記条件がコンテンツの種別に応じて異なってもよい。
更に、前記通知制御部は、特定の種別のコンテンツについては、前記特定の状況に置かれていると判別された場合と、前記別の状況に置かれている場合とで前記条件を同じとしてもよい。【０００９】
本発明のサーバ装置は、通信端末装置のユーザが置かれている状況を判別する判別部と、所定の条件を満たすコンテンツを前記通信端末装置のユーザに通知する通知制御部であって、前記ユーザが特定の状況に置かれていると判別された場合と、当該ユーザが別の状況に置かれている場合とで前記条件を異ならせる通知制御部とを備える。【００１０】
本発明の通信端末装置は、自通信端末装置のユーザが置かれている状況を示すデータをサーバ装置へ送信する送信部と、送信された前記データに応じて前記サーバ装置により送信された、所定の条件を満たすコンテンツを通知する通知データを取得する取得部であって、前記条件が、前記ユーザが特定の状況に置かれていると判別された場合と、当該ユーザが別の状況に置かれている場合とで異なる取得部と、取得された前記通知データに基づいて、前記コンテンツを前記ユーザに通知する通知部とを備える。【００１１】
本発明のプログラムは、通信端末装置のコンピュータに、当該通信端末装置のユーザが置かれている状況を示すデータをサーバ装置へ送信するステップと、送信した前記データに応じて前記サーバ装置により送信された、所定の条件を満たすコンテンツを通知する通知データを取得するステップであって、前記条件が、前記ユーザが特定の状況に置かれていると判別された場合と、当該ユーザが別の状況に置かれている場合とで異なるステップと、取得した前記通知データに基づいて、前記コンテンツを前記ユーザに通知するステップとを実行させるためのプログラムである。【００１２】
本発明の通知制御方法は、ユーザが置かれている状況を判別するステップと、所定の条件を満たすコンテンツを前記ユーザに通知するステップであって、前記ユーザが特定の状況に置かれていると判別した場合と、当該ユーザが別の状況に置かれている場合とで前記条件を異ならせるステップとを備える。
【発明の効果】
【００１３】
本発明によれば、ユーザが置かれている状況に応じて通知するコンテンツの条件を異ならせることができる。
【図面の簡単な説明】
【００１４】
【図１】本発明の第１実施形態に係る通知制御システムの全体構成を示す図。
【図２】同実施形態に係るサーバ装置のハードウェア構成を示すブロック図。
【図３】同実施形態に係る通信端末装置のハードウェア構成を示すブロック図。
【図４】同実施形態に係るサーバ装置及び通信端末装置の機能構成を示すブロック図。
【図５】同実施形態に係るサーバ装置及び通信端末装置が実行する処理を示すフローチャート。
【図６】同実施形態に係るコンテンツの種別毎の通知条件の適用の有無の説明図。
【図７】同実施形態に係るコンテンツの通知条件の緩和及び制限の説明図。
【発明を実施するための形態】
【００１５】
以下、図面を参照して本発明の実施形態を説明する。
図１は、本発明の一実施形態に係る通知制御システム１の全体構成を示す図である。通知制御システム１は、ユーザに対してコンテンツの通知を制御するシステムである。図１に示すように、通知制御システム１は、サーバ装置１０と、通信端末装置２０とを備える。サーバ装置１０及び通信端末装置２０は、ネットワーク１００に接続する機能を有する。ネットワーク１００は、移動通信網や交換機、基地局等を含み、所定の通信事業者によって管理、運用される通信回線である。
なお、図１には、通信端末装置２０が１台だけ示されているが、実際には２台以上存在する。
【００１６】
サーバ装置１０は、通信端末装置２０に対して、コンテンツを通知するサービスを提供する。通信端末装置２０は、サーバ装置１０の制御に基づいて、コンテンツをユーザに通知する。通信端末装置２０は、ユーザが所持（携帯）する携帯型の通信端末装置であり、本実施形態ではスマートフォンである。通信端末装置２０は、スマートフォンに限られず、フィーチャーフォンやタブレット型コンピュータ、ノート型パソコン、各種のウェアラブル型の通信端末装置（例えばヘッドマウントディスプレイや、リストバンド型の通信端末装置）であってもよい。通信端末装置２０は、携帯型ではなく、据置型の通信機器であってもよい。通信端末装置２０は、カーナビゲーション装置のような車載機器でもよい。
【００１７】
図２は、サーバ装置１０のハードウェア構成を示す図である。図２に示すように、サーバ装置１０は、制御部１１と、通信部１２と、コンテンツＤＢ（Data Base）１３とを備える。
制御部１１は、演算処理装置としてのＣＰＵと、ＲＯＭ（Read Only Memory）及びＲＡＭ（Random Access Memory）を含むメモリを備えたプロセッサである。ＣＰＵは、ＲＯＭに記憶されたプログラムを、ＲＡＭに読み出して実行することにより、サーバ装置１０の各部を制御する。通信部１２は、ネットワーク１００に接続して外部装置とするインタフェースである。
【００１８】
コンテンツＤＢ１３は、コンテンツを通知するデータ（以下「通知データ」という。）を蓄積したデータベースである。通知データは、例えば、コンテンツに関連づけられたデータである。この通知データは、例えば、コンテンツを説明する説明文や、コンテンツが格納された場所を示すＵＲＩ（Uniform Resource Identifier）の情報を含む。この場合のコンテンツは、例えばｗｅｂページである。具体的なコンテンツとして、飲食店、イベント、又は観光スポットの情報を含むコンテンツ、ユーザにお勧めの商品の情報を含むコンテンツ、交通機関の乗り換え案内又はルート案内の情報を含むコンテンツ等がある。本実施形態のコンテンツは、ユーザが視認することが可能なコンテンツ（視覚コンテンツ）があるが、これに限られず、例えばユーザが聴取することが可能なコンテンツ（音声コンテンツ）であってもよい。また、コンテンツの通知データは、当該コンテンツ自体あってもよい。
本実施形態では、サーバ装置１０がコンテンツＤＢ１３を備えているが、サーバ装置１０が外部装置としてのコンテンツＤＢ１３にアクセスする構成であってもよい。
【００１９】
図３は、通信端末装置２０のハードウェア構成を示す図である。図３に示すように、通信端末装置２０は、制御部２１と、通信部２２と、タッチスクリーン部２３と、測位部２４と、音声入出力部２５と、記憶部２６とを備える。
制御部２１は、演算処理装置としてのＣＰＵと、ＲＯＭ及びＲＡＭを含むメモリを備えたプロセッサである。ＣＰＵは、ＲＯＭ又は記憶部２６に記憶されたプログラムを、ＲＡＭに読み出して実行することにより、通信端末装置２０の各部を制御する。
【００２０】
通信部２２は、例えば無線通信回路及びアンテナを有し、ネットワーク１００に接続して外部装置と通信する。
【００２１】
タッチスクリーン部２３は、表示部とタッチセンサとを備える。表示部は、例えば液晶ディスプレイで、表示コンテンツを含む各種の画像を表示する。タッチセンサは、表示部の表示領域に重ねて面状に設けられたセンサで、表示領域に対して行われたユーザの操作を、所定の方式（例えば、抵抗膜方式又は静電容量方式）に従って検知する。
【００２２】
測位部２４は、全地球航法衛星システム（ＧＮＳＳ：Global Navigation Satellite System）からの信号を受信するアンテナ、及び、受信した当該信号を処理する処理回路を備え、測位部２４（即ち通信端末装置２０のユーザ）の位置（現在位置）を測定する測位処理を行う。ＧＮＳＳによる測位は、一般にはＧＰＳ（Global Positioning System）測位として慣用されている。
なお、測位部２４は、基地局測位等の他の測位方式により測位処理を行ってもよい。
【００２３】
音声入出力部２５は、例えばマイクロホン及びスピーカを有し、通信端末装置２０において音声の入出力を行う。音声入出力部２５は、例えば、制御部２１から供給された音声信号に基づいて、スピーカから音声を出力したり、マイクロホンを介して入力された音声を音声信号に変換して制御部２１に供給したりする。
【００２４】
記憶部２６は、ＥＥＰＲＯＭ（Electronically Erasable and Programmable ROM）やフラッシュメモリ等の記憶装置で、制御部２１により実行される各種のプログラムを記憶する。このプログラムとして、コンテンツをユーザに通知するためのアプリケーションプログラム（以下「通知アプリケーション」という。）がある。
【００２５】
図４は、サーバ装置１０及び通信端末装置２０の機能構成を示すブロック図である。
サーバ装置１０の制御部１１は、プログラムを実行することにより、取得部１１１と、判別部１１２と、音声認識部１１３と、通知制御部１１４とに相当する機能を実現する。通信端末装置２０の制御部２１は、通知アプリケーションを実行することにより、第１の取得部２１１と、受付部２１２と、送信部２１３と、第２の取得部２１４と、通知部２１５とに相当する機能を実現する。
【００２６】
通信端末装置２０において第１の取得部２１１は、ユーザが置かれている状況を示すデータを取得する。このデータとして、測位部２４が測ったユーザの位置を示す位置データがある。
【００２７】
受付部２１２は、音声入出力部２５又はタッチスクリーン部２３を介して、ユーザから処理の実行の指示を受け付ける。受付部２１２は、音声入出力部２５を介して音声指示を受け付ける。受付部２１２は、タッチスクリーン部２３を介して、例えば文字の入力又操作子の選択による指示を受け付ける。受付部２１２が受け付ける指示は、コンテンツの通知をサーバ装置１０に要求するための指示である。
【００２８】
送信部２１３は、第１の取得部２１１が取得したデータ、及び受付部２１２が受け付けた指示を示すデータを、通信部２２を介してサーバ装置１０へ送信する。
【００２９】
サーバ装置１０において取得部１１１は、通信部１２を介して、送信部２１３により送信されたデータを取得する。
【００３０】
判別部１１２は、通信端末装置２０のユーザが置かれている状況を判別する。判別部１１２は、ここでは、取得部１１１により取得された位置データに基づいて、ユーザの位置が当該ユーザの日常圏又は非日常圏のどちらに属するかを判別する。日常圏は、例えばユーザの居住地又は通い先（例えば勤め先）を含む地域で、ユーザが日常的に行動する地域に基づいて設定される。非日常圏は、日常圏以外の地域であって、ユーザが日常的に行動する地域以外の地域に設定される。判別部１１２は、これ以外にも、現在の日時（日付又は時刻）に基づいてユーザが置かれている状況を判別してもよい。例えば、判別部１１２は、現在がユーザの誕生日等の特定の日かどうかを判別する。
【００３１】
音声認識部１１３は、取得部１１１により取得された音声データが表す音声を、公知の音声認識技術を用いて認識し、認識した音声を示すテキストデータを生成する。
なお、受付部２１２がタッチスクリーン部２３を介して指示を受け付けた場合は、音声認識部１１３の音声認識は不要である。
【００３２】
通知制御部１１４は、コンテンツＤＢ１３に基づいて、所定の条件を満たすコンテンツを通信端末装置２０のユーザに通知する制御を行う。当該条件は、通信端末装置２０のユーザにコンテンツを通知する条件で、以下では「通知条件」という。通知制御部１１４は、取得部１１１により取得された受付部２１２が受け付けた指示を示すデータに基づいて、ユーザによる指示に応じたコンテンツを特定する。音声指示が行われた場合、通知制御部１１４は、音声認識部１１３により生成されたテキストデータに基づいてコンテンツを特定する。
【００３３】
通知制御部１１４は、ユーザが特定の状況に置かれていると判別された場合と、当該ユーザが別の状況に置かれている場合とで、通知条件を異ならせる。「通知条件を異ならせる」とは、以下の説明では、ユーザが特定の状況に置かれていると判別された場合に、当該ユーザが別の状況に置かれている場合よりも通知条件を緩和又は制限させることをいうものとする。通知条件の緩和とは、当該通知条件を満たしやすくすることをいい、通知条件の制限とは、当該通知条件を満たしにくくすることをいう。通知条件の緩和により、通知されるコンテンツの対象が広がり、通知条件の制限により、通知されるコンテンツの対象が狭まる。通知条件は、本実施形態では、コンテンツに関連付けられたパラメータの条件を含む。このパラメータは、通知の対象とするコンテンツを検索する場合の、検索条件を指定するパラメータとして観念することができる。具体的なパラメータとして、例えば、コンテンツに関連づけられた時間、金額、位置、摂取カロリー、評価、及びジャンルがある。
通知制御部１１４は、通知条件を満たしたコンテンツを通知する場合には、当該コンテンツを通知する通知データを、通信部１２を介して通信端末装置２０へ送信する。
【００３４】
通信端末装置２０において第２の取得部２１４は、通信部２２を介して、通知制御部１１４により送信された通知データを取得する。
通知部２１５は、第２の取得部２１４により取得された通知データに基づいて、コンテンツを、例えばタッチスクリーン部２３を介してユーザに通知する。
【００３５】
次に、本実施形態の動作を説明する。
図５は、通知制御システム１で実行される通知サービスに関する処理を示すフローチャートである。以下では、通知条件が緩和される場合の動作について説明する。
まず、通信端末装置２０の制御部２１は、通知アプリケーションを実行（起動）した後、音声入出力部２５を介して、ユーザの音声指示を受け付ける（ステップＳ１）。ここでは、制御部２１は、音声入出力部２５を介して入力された音声を示す音声データを生成する。次に、制御部２１は、測位部２４を用いてユーザの位置を測定する測位処理を行って、測定した位置を示す位置データを生成する（ステップＳ２）。次に、制御部２１は、ステップＳ１で入力を受け付けた音声を示す音声データ、及びステップＳ２で生成した位置データを、通信部２２を介してサーバ装置１０へ送信する（ステップＳ３）。
【００３６】
サーバ装置１０の制御部１１は、通信部１２を介して、ステップＳ３で送信された音声データ、及び位置データを取得（受信）する（ステップＳ４）。次に、制御部１１は、ステップＳ４で取得した音声データに基づいて、通信端末装置２０のユーザによる音声指示を認識する（ステップＳ５）。制御部１１は、ここでは、認識した音声を示すテキストデータを生成する。
【００３７】
次に、制御部１１は、通信端末装置２０のユーザが置かれている状況を判別する（ステップＳ６）。制御部１１は、ここでは、ステップＳ４で取得した位置データに基づいて、ユーザの位置が当該ユーザの日常圏又は非日常圏のどちらに属するかを判別する。日常圏又は非日常圏は、例えば、通信端末装置２０への文字列の入力又は地図上の位置の指定による住所の直接的な指定により予め設定されている。日常圏又は非日常圏の設定方法はこれに限られず、制御部１１は、定期的に通信端末装置２０から位置データを取得して、ユーザの滞在の頻度が高い地域を日常圏に設定し、それ以外の地域を非日常圏に設定してもよい。
【００３８】
次に、制御部１１は、通知条件を満たすコンテンツの通知データを、通信部１２を介して通信端末装置２０へ送信する（ステップＳ７）。制御部１１は、ステップＳ５で生成したテキストデータに基づいて意図解釈を行い、コンテンツＤＢ１３を参照して通知するコンテンツを特定する。制御部１１は、ユーザ属性に基づいてコンテンツの通知を行う。ユーザ属性は、例えばユーザの趣味又は嗜好であるが、これ以外にもユーザの性別や年齢等のユーザの属性が含まれてもよい。これにより、ユーザに適したコンテンツが通知の対象となりやすくなる。
【００３９】
更にステップＳ７では、制御部１１は、ユーザが特定の状況に置かれていると判別した場合には、当該ユーザが別の状況に置かれている場合よりも通知条件を緩和させる。ただし、制御部１１は、コンテンツの種別に応じて通知条件の適用の有無を異ならせてもよい。図６に示すように、制御部１１は、飲食店、イベント、観光スポットの情報を含むコンテンツを通知する場合は、通知条件を緩和させる。これに対し、制御部１１は、ユーザへお勧めの商品の情報を含むコンテンツを通知する場合は、通知条件を緩和させない。この場合、制御部１１は、ユーザが置かれている状況によらないで、コンテンツの通知を制御する。つまり、制御部１１（通知制御部１１４）は、特定の種別のコンテンツについては、ユーザが特定の状況に置かれていると判別された場合と、そのユーザが別の状況に置かれている場合とで通知条件を同じとする。通知条件が適用されるコンテンツの種別は、例えば、ユーザの位置が属する地域に特有の情報を含むコンテンツである。通知条件が適用されないコンテンツの種別としては、ユーザが購入する書籍の最新刊の発売情報等の、ユーザの位置が属する地域に特有の情報を含まないか、又は地域に特有の情報を主としないコンテンツが想定される。
【００４０】
図７は、コンテンツの通知条件の緩和及び制限を説明する図である。図７を参照して通知条件の緩和の具体的な方法について説明する。以下では、通知されるコンテンツに、飲食店の情報が含まれる場合を説明する。
制御部１１は、通知条件が時間の条件を示す場合、当該時間の条件を満たすコンテンツを通知の対象とする。そして、制御部１１は、当該時間の条件を緩和させるときは、例えば当該時間の上限を長くする。ここで、コンテンツに関連づけられた時間が、飲食に要する所要時間の目安を示すとする。音声指示を行った人物は、その地域が居住地の近くである場合は、短時間で飲食できる飲食店の情報を得たいと考え、その地域が旅行先である場合は、ゆっくりと飲食できる飲食店の情報を得たいと考える場合がある。そこで、制御部１１は、時間の条件を緩和させないときは、所要時間が１時間未満の飲食店の情報を含むコンテンツを通知の対象とし、時間の条件を緩和させるときは、所要時間が２時間未満の飲食店の情報を含むコンテンツを通知の対象とする。
【００４１】
別の時間の条件として、コンテンツに関連づけられた時間が、飲食店の営業時間を示していてもよい。この場合、制御部１１は、ユーザの位置が日常圏に属するときは営業時間中の飲食店のコンテンツを通知する通知条件とし、非日常圏に属するときは営業時間内の店舗に加え、営業時間外の飲食店のコンテンツを通知する通知条件に緩和させる。
【００４２】
制御部１１は、通知条件が金額の条件を示す場合、当該金額の条件を満たすコンテンツを通知の対象とする。そして、制御部１１は、当該金額の条件を緩和させるときは、例えば当該金額の上限を高くする。コンテンツに関連づけられた金額が飲食に要する金額（例えば予算）を示すとする。日常圏に居るユーザは、あまり費用を掛けずに飲食することができる飲食店の情報を得たいと考え、非日常圏に居るユーザは、普段よりも豪華な飲食をすることができる飲食店の情報を得たいと考える場合がある。そこで、制御部１１は、金額の条件を緩和させないときは、金額が３０００円未満の飲食店の情報を含むコンテンツを通知の対象とし、金額の条件を緩和させるときは、金額が１万円以内の飲食店の情報を含むコンテンツを通知の対象とする。
【００４３】
制御部１１は、通知条件が移動距離の条件を示す場合、当該移動距離の条件を満たすコンテンツを通知の対象とする。そして、制御部１１は、当該移動距離の条件を緩和させるときは、例えば当該移動距離の上限を大きくする。コンテンツに関連づけられた移動距離は、ユーザの位置から飲食店までの移動距離を示す。例えば、日常圏に居るユーザは、近所で飲食できる飲食店の情報を得たいと考え、非日常圏に居るユーザは、普段訪れない地域において移動距離が多少長くとも、評判の良い飲食店で飲食したいと考える場合がある。そこで、制御部１１は、移動距離の条件を緩和させないときは、３ｋｍ未満の飲食店の情報を含むコンテンツを通知の対象とし、移動距離の条件を緩和させるときは、移動距離が１０ｋｍ未満の飲食店の情報を含むコンテンツを通知の対象とする。
【００４４】
制御部１１は、通知条件が飲食に係る摂取カロリー（例えば１食当たりの摂取カロリーの見込み）の条件を示す場合、当該摂取カロリーの条件を満たすコンテンツを通知の対象とする。そして、制御部１１は、摂取カロリーの条件を緩和させるときは当該摂取カロリーを高くする。例えば、非日常圏に居るユーザは、日常圏に居るときよりも、摂取カロリーをさほど気にせずに飲食をしたいと考える場合がある。そこで、制御部１１は、摂取カロリーの条件を緩和させないときは、８００キロカロリー未満の飲食を提供する飲食店の情報を含むコンテンツを通知の対象とし、摂取カロリーの条件を緩和させるときは、摂取カロリーが１５００キロカロリー未満の飲食を提供する飲食店の情報を含むコンテンツを通知の対象とする。
【００４５】
制御部１１は、通知条件が飲食店の評価の条件を示す場合、当該評価の条件を満たすコンテンツを通知の対象とする。そして、制御部１１は、当該評価の条件を緩和させるときは、例えば当該評価の上限を高くする。例えば、非日常圏に居るユーザは、日常圏に居るときよりも、評価の高い飲食店で飲食したいと考える場合がある。そこで、制御部１１は、飲食店の評価が複数段階に区分されている場合において、評価の条件を緩和させないときは、閾値未満の評価である飲食店の情報を含むコンテンツを通知の対象とし、評価の条件を緩和させるときは、当該閾値以上の評価である飲食店の情報もコンテンツの通知の対象とする。
【００４６】
制御部１１は、通知条件が飲食店のジャンルの条件を示す場合、当該ジャンルの条件を満たすコンテンツを通知の対象とする。そして、制御部１１は、ジャンルの条件を緩和させるときは、通知の対象とするコンテンツのジャンルを多くする。例えば、日常圏に居るユーザは自身の好みのジャンルの飲食をしたいと考えるが、非日常圏に居るユーザは普段は飲食しないジャンルの飲食をしたいと考える場合がある。そこで、制御部１１は、ジャンルの条件を緩和させないときは、ユーザが予め設定しておいたジャンルの飲食を提供する飲食店の情報を含むコンテンツを通知の対象とし、ジャンルの条件を緩和させるときは、ユーザが予め設定しておいたジャンルに加え、更に別のジャンルの飲食を提供する飲食店の情報を含むコンテンツを通知の対象とする。
【００４７】
通知条件の緩和の具体的な方法の説明は以上である。制御部１１は、イベントや観光スポット等の、飲食店以外の情報を含むコンテンツを通知する場合も、同様の方法で、通知条件の緩和に関する制御を行えばよい。例えば制御部１１は、非日常圏に居るユーザが、日常圏に居る場合よりも開放的な気分になっているという推定に基づき、通知条件を緩和させればよい。
【００４８】
図５に戻り、通信端末装置２０の制御部２１は、通信部２２を介してコンテンツの通知データを取得（受信）すると（ステップＳ８）、この通知データに基づいて、例えばタッチスクリーン部２３を介してユーザにコンテンツを通知する（ステップＳ９）。
図５の説明は以上である。
【００４９】
制御部１１は、ステップＳ６では、日時に基づいてユーザが置かれている状況を判別してもよい。この場合、制御部１１は、日時が特定の日であると判別した場合は、非日常圏に属すると判別した場合と同様に通知条件を緩和させ、それ以外の日であると判別した場合は、通知条件を緩和させない。この特定の日の設定の方法が特に問わず、誕生日等がユーザにより設定されていてもよいし、クリスマスの日等がサーバ側で設定されていてもよい。
【００５０】
制御部１１は、通知条件を制限させる制御を行ってもよい。制御部１１は、例えば、ユーザの位置が日常圏に属する場合には、非日常圏に属する場合に比べて通知条件を制限させる。また、制御部１１は、特定の日時において、それ以外の日時よりもコンテンツの通知条件を制限させてもよい。通知条件の制限の具体的な方法は、図７に示すとおり、通知条件の緩和とは逆の制御として説明することができる。
また、制御部１１は、通知条件の緩和、及び制限の両方の制御を行ってもよい。
【００５１】
サーバ装置１０は、ユーザの指示に応じてコンテンツを通知するプル型のコンテンツの通知を行うことに代えて又は加えて、ユーザの指示なしにコンテンツを通知するプッシュ型のコンテンツの通知を行ってもよい。この場合、通信端末装置２０は、例えば所定間隔で、繰り返し位置データをサーバ装置１０へ送信する。サーバ装置１０は、取得した位置データに基づいてコンテンツを通知すればよい。
【００５２】
サーバ装置１０は、音声指示を用いずに、タッチスクリーン部２３を介してコンテンツが要求された場合は、ステップＳ５の処理を省略し、通信端末装置２０から取得したデータ（例えばテキストデータ）に基づいてコンテンツを通知すればよい。
【００５３】
以上説明した実施形態の通知制御システム１によれば、コンテンツの要求を指示したユーザが置かれている状況に応じて、コンテンツの通知条件が異なる。これにより、例えばユーザの位置が日常圏又は非日常圏のどちらに属するかによって、通知されるコンテンツも異なる。また、通知制御システム１では、日時が特定の日時か否かによって、通知されるコンテンツが異なることも可能である。これにより、通知制御システム１によれば、多くのユーザにとって有益なコンテンツが通知されることが期待できる。
【００５４】
［変形例］
本発明は、上述した実施形態と異なる形態で実施することが可能である。本発明は、例えば、以下のような形態で実施することも可能である。また、以下に示す変形例は、各々を適宜に組み合わせてもよい。
サーバ装置１０の制御部１１は、全てのコンテンツについて同じ通知条件を適用しなくてもよい。例えば、制御部１１は、イベントや観光スポットの情報を含むコンテンツについては金額の条件を緩和させることがあるが、飲食店の情報を含むコンテンツについては金額の条件を緩和させないようにしてもよい。
【００５５】
通知条件は、以下で説明する条件を含んでもよい。
コンテンツがルート案内又は乗り換え案内の場合、通知条件の緩和は利用できる交通手段の数を増やすことで、通知条件の制限は利用できる交通手段の数を減らすことであってもよい。制御部１１は、例えば、日常圏においてはタクシーを含まない乗り換え案内又はルート案内を行い、非日常圏ではタクシーを含むルート案内や乗り換え案内を行う。この場合、通知条件に含まれるパラメータの条件は、交通手段の数の条件を示す。
【００５６】
また、制御部１１は、ユーザの状態、例えばユーザの体調や気分に応じて通知条件を緩和又は制限させてもよい。例えば、制御部１１は、ユーザの体調が良好な場合や気分が落ち込んでいる場合は、通知条件を緩和させ、ユーザの体調が良好でない場合は、通知条件を制限させる。この場合、通知条件に含まれるパラメータの条件は、ユーザの体調の条件を示す。
なお、制御部１１は、ユーザにより通信端末装置２０に入力された情報に基づいてユーザの状態を特定してもよいし、通信端末装置２０に搭載されたセンサにより検知された情報に基づいてユーザの状態を特定してもよい。
【００５７】
制御部１１は、ユーザが一緒に居る人物に応じて通知条件を緩和又は制限させてもよい。制御部１１は、例えば、一緒に居る人物の人数に基づいて通知条件を緩和又は制限させる。制御部１１は、一緒に居る人物が居る場合は、レストラン等の複数人向けの飲食店の情報を含むコンテンツを通知の対象とするが、一緒に居る人物が居ない場合は、このような飲食店の情報を含むコンテンツを通知の対象としない。ユーザと一緒に居る人物の情報は、ユーザが通信端末装置２０に情報を入力することにより特定される。この場合、通知条件に含まれるパラメータの条件は、ユーザが一緒に居る人物の人数の条件を示す。
また、制御部１１は、前述したパラメータの条件を２つ以上組み合わせて、通知の対象のコンテンツを異ならせてもよい。
また、通知条件は、通知の対象のコンテンツを変化させる条件であれば、更に別の条件を含んでもよい。
【００５８】
また、通知条件の緩和又は制限の度合いが、複数段階に区分されていてもよい。制御部１１は、例えば、通知条件を緩和させる場合において、ユーザが置かれる状況が第１の状況の場合には、第１の条件を満たすパラメータに関連付けられたコンテンツを、第１の状況と異なる第２の状況の場合には、第１の条件と異なる第２の条件を満たすパラメータに関連付けられたコンテンツを、通知の対象とする。通知条件を制限させる場合も、同様とすることができる。
この場合、制御部１１は、例えばユーザが一緒に居る人物が誰であるか（例えば友人、家族、会社関係の人物）に応じて、通知条件の緩和又は制限の度合いを異ならせてもよい。例えば通知条件を緩和させる場合、制御部１１は、ユーザが一緒に居る人物が友人であれば、金額が３０００円未満の飲食店の情報を含むコンテンツを、ユーザが一緒に居る人物が家族であれば、金額が４０００円未満の飲食店の情報を含むコンテンツを、ユーザが一緒に居る人物が会社関係の人物であれば、金額が５０００円未満の飲食店の情報を含むコンテンツを通知の対象とする。
【００５９】
サーバ装置１０の機能の一部又は全てを、通信端末装置２０が実現してもよい。例えば、通信端末装置２０は、判別部１１２、音声認識部１１３及び通知制御部１１４のうちの少なくとも一部の機能を実現してもよい。この場合、通信端末装置２０は、ネットワーク１００に接続された外部のコンテンツＤＢ１３を含む装置に問い合わせることにより、コンテンツの通知データを取得する。
また、通知制御システム１は、音声指示に対応したシステムである必要はなく、この場合、音声認識部１１３の機能を省略可能である。
【００６０】
コンテンツの通知の方法は、通知アプリケーションを利用する方法に限られず、例えば、電子メールやショートメッセージサービス、ソーシャルネットワーキングサービスを利用する方法であってもよい。
また、上述した各実施形態で説明した構成及び動作の一部が省略されてもよい。また、上述した各実施形態で説明した処理の順番は、適宜変更されてもよい。また、上述した実施形態で説明した通知条件の具体的な内容（各数値を含む。）はあくまで一例である。
【００６１】
上述した各実施形態の制御部１１，２１が実現する機能は、複数のプログラムの組み合わせによって実現され、又は、複数のハードウェア資源の連係によって実現され得る。制御部１１，２１の機能がプログラムを用いて実現される場合、このプログラムは、磁気記録媒体（磁気テープ、磁気ディスク（ＨＤＤ（Hard Disk Drive）、ＦＤ（Flexible Disk））等）、光記録媒体（光ディスク等）、光磁気記録媒体、半導体メモリ等のコンピュータ読み取り可能な記録媒体に記憶した状態で提供されてもよいし、ネットワークを介して配信されてもよい。また、本発明は、通知制御方法として把握することも可能である。
【符号の説明】
【００６２】
１…通知制御システム、１０…サーバ装置、１１…制御部、１１１…取得部、１１２…判別部、１１３…音声認識部、１１４…通知制御部、１２…通信部、１３…コンテンツＤＢ、２０…通信端末装置、２１…制御部、２１１…第１の取得部、２１２…受付部、２１３…送信部、２１４…第２の取得部、２１５…通知部、２２…通信部、２３…タッチスクリーン部、２４…測位部、２５…音声入出力部、２６…記憶部。
【図１】
2016182008.tif 000003
【図２】
2016182008.tif 000004
【図３】
2016182008.tif 000005
【図４】
2016182008.tif 000006
【図５】
2016182008.tif 000007
【図６】
2016182008.tif 000008
【図７】
2016182008.tif 000009
【国際調査報告】
2016182008.tif 000010
2016182008.tif 000011